【事件の表示】
　平成５年特許願第１９７９５４号「転写装置」拒絶査定に対する審判事件［平成７年１月３１日出願公開、特開平７−２８３４５］について、次のとおり審決する。
【結　論】
　本件審判の請求は、成り立たない。
【理　由】
１．手続の経緯・本願発明
　本願は、平成５年７月１４日の出願であって、その請求項１ないし２に係る発明は平成１３年６月２１日付け手続補正書によって補正された明細書および図面の記載からみて、その特許請求の範囲の請求項１ないし２に記載された次のとおりのものである。
　以下、それぞれ「本願発明１」、「本願発明２」という。
「【請求項１】像形成体上に順に形成される各色のトナー像を、繰り返し搬送される転写材上に順次転写して重ね合わせることにより多色像を形成する転写装置において、前記転写材を転写部に搬送するための誘電体ベルトと、この誘電体ベルトを前帯電し前記転写材を誘電体ベルト上に静電吸着させる手段と、誘電体ベルトの内面にその走行方向に延在するように形成された１または数条の突条と、誘電体ベルトを走行可能に支持し且つ前記ベルトの突条を横ずれなく受ける凹部を有するベルト支持ローラとを有し、前記誘電体ベルトが前記転写部と接触することなく迂回するように張り渡されていることを特徴とする転写装置。
【請求項２】前記誘電体ベルトが転写材の幅方向に複数並列して設けられていることを特徴とする請求項１記載の転写装置。」
２．引用刊行物記載の発明
　原査定の拒絶の理由において引用された引用文献１〜２には、下記の事項が記載されている。
［引用文献１：特開昭５９−２１２８６３号公報］
　引用文献１には、
ａ．「回転する感光体の表面に静電気的に吸着されたトナー像を、静電気的に用紙に転写するタイプの電子写真装置に於いて、複数本の支持ロール間に絶縁性無端ベルトを張設し、該複数本の支持ロール中の少くとも一本を駆動ロールとし、該絶縁性無端ベルトに対し、電圧を印加した導電性ブラシを接触させて用紙搬送手段と成し、且つ該導電性ブラシを前記感光体表面に接触させて転写器と成し、該絶縁性無端ベルトに静電気的に用紙を吸着させて搬送せしめ、該用紙を前記感光体と該導電性ブラシの間に供給して転写を行い、該絶縁性無端ベルトにて静電気的に用紙を剥離することを特徴とする電子写真装置。」（特許請求の範囲）、
ｂ．「而して、用紙搬送ベルト装置１０は、複数本のベルト支持ロール１１，１２，１３，１４，１５と、これ等の支持ロール間に張設された複数条の絶縁材（例えば、ポリエステル樹脂、ポリカーボネート樹脂）製搬送ベルト１６と、ベルト支持ロール１３，１４間に於いて搬送ベルト１６の上面に摺接すると同時に、感光体１の下面にも軽く摺接する帯電ブラシ５と、ベルト支持ロール１３，１５に摺接する剥離板１７，１８とで構成されている（第１図、第３図参照）。」（第２頁左下欄第１９行〜同頁右下欄第７行）（用紙搬送ベルト及び用紙搬送ベルト装置の説明箇所）、
ｃ．「ベルト支持ロール１１〜１５は、その中の少くとも一本を駆動すれば良く、又必要に応じて、搬送ベルト１６を歯付ベルトとし、これに対応して、各ベルト支持ロールにピニオンを付しても良い。・・・そして、ベルト支持ロール１１には、各搬送ベルト１６と接触しない部分に於いて、太径のゴム製フイードロール１１ａが嵌着されており、・・・（第１図、第２図参照）。・・・更に、前記剥離板１７は、各搬送ベルト１６間に於いて、ベルト支持ロール１３に摺接する複数の剥離爪１７ａを備えている（第３図参照）。」（第２頁右下欄第８行〜第３頁左上欄第１２行）（各搬送ベルトとベルト支持ロールとの関係の説明箇所）、
ｄ．「本実施例は、前記の様に構成されており、回転する感光体１に帯電ブラシ３が回転接触して、感光体１の帯電が行われ、露光部Ａに於いて露光が行われる。・・・露光後の像電位は、５００〜１０００Ｖであり、現像器４部に到った感光体１上の静電潜像は、現像によって顕像化される。・・・この間、各ベルト支持ロール１１〜１５、搬送ベルト１６、および帯電ブラシ５も回転しており、感光体１の回転とタイミングを合わせて、ベルト支持ロール１１が下降して、そのフイードロール１１ａが、給紙トレイ１９内の用紙Ｐの上面に接触する。搬送ベルト１６は、帯電ブラシとの接触によって数ＫＶに帯電しており、フイードロール１１ａと接触して搬出された最上層の用紙Ｐは、その先端側から、静電気的に搬送ベルト１６に吸着され、搬送ベルト１６の回転に従って搬送される。・・・搬送ベルト１６によって搬送された用紙はベルト支持ロール１３部に到り、剥離板１７によって搬送ベルト１６から剥離され、感光体１と接触しつつ、転写部Ｂ、即ち感光体1と帯電ブラシ５の間に進入する。帯電ブラシ５に接触した用紙は、高電位に帯電され、その極性を同極性に帯電した感光体１に付着しているトナー像は、用紙側に強く吸着される。・・・その後、ベルト支持ロール１４部に到って、用紙は搬送ベルト１６に吸着されて、感光体１から剥離され、転写されたトナー像を担持する用紙は、ベルト支持ロール１５部に到り、剥離板１８によって搬送ベルト１６から剥離され、熱定着ロール２０内に送給される。そして、定着完了した用紙は、排紙トレイ２１内に排出される。・・・又、転写部Ｂを通過した感光体１は、クリーニング装置６部に到り、残留トナー除去され、更に帯電ブラシ３側へ移行し、次の帯電が行われる。」（第３頁右上欄第１２行〜同頁右下欄第１８行）（実施例・画像形成装置の無端搬送ベルト・転写部Ｂの説明箇所）、
ｅ．「又、第５図に示す様に、色違いのトナーを備える現像器４Ａ，４Ｂを配設することにより、同一用紙に二色の画像を得ることができる。即ち、先ず感光体１の最初の回転では、現像器４Ａのみを動作させて、第１色目の現像、転写を行い、引き続く感光体１の回転に対応して、剥離板１８とべルト支持ロール１５との係合を解除し、転写済用紙を剥離することなく、搬送ベルト１６と共に回転させ、一方では、現像器４Ｂのみを動作させて第２色目の現像を行い、前記転写済用紙に対して再度転写を行う。この後、剥離板１８をベルト支持ロール１５に係合させて、転写済用紙の剥離を行い、定着後、排紙トレイ２１に排出する。斯くして、同一用紙に二色の画像を得ることができるのである。この場合、二色の画像にずれが生じない様に搬送ベルト１６の周長を選択しなければならない。」（第４頁右上欄第１５行〜同頁左下欄第１０行）（実施例・画像形成装置の多色カラー画像形成の説明箇所）、
ｆ．「以上の説明から明らかな様に、本発明では、・・・絶縁性無端ベルトは、用紙搬送および転写後の剥離手段として兼用化され、導電性ブラシは、絶縁性無端ベルト用帯手段および転写器として兼用化され、・・・部品点数が少く、全体として小型化され、製作費が廉価となる。又、絶縁性無端ベルトに静電気的に用紙を吸着させて搬送することにより、紙詰りの無い確実な搬送が保証され、紙粉発生も著しく減少する。更に、絶縁性無端ベルトで静電気的に用紙を剥離することにより、感光体の損傷を防止することができ、常に良好な再生画像を得ることが可能である。」（第４頁左下欄第１１行〜同頁右下欄第９行）（発明の効果欄）と記載され、
ｇ．各搬送ベルトとベルト支持ロールとの係合構造に係る第２図には、
ベルト支持ロール（１１）が、複数の搬送ベルトを所定間隔（嵌着ロールの軸方向長さに対応）を空けて並列に走行可能に支持するとともに、各搬送ベルト間のベルトと接触しない部位で嵌着ロール（１１ａ）によりベルト接触部位に比して大径となっている構造、即ち、
嵌着ロール付きベルト支持ロールが、搬送ベルトのベルト全体を受けとめる、複数の平らな凹部を有し、ベルトの横ずれを防止できる構造が示され、
ｈ．各搬送ベルト、ベルト支持ロール、剥離板の摺接構造に係る第３図には、
ベルト支持ロール（１３）が、複数の搬送ベルトを所定間隔（剥離爪１７ａの幅長に対応）を空けて並列に走行可能に支持するとともに、各搬送ベルト間のベルトと接触しない部位で剥離爪１７ａ（剥離板１７から櫛歯状に突出した薄板部材）と摺接しており、剥離爪の介在でベルトの横ずれが防止できる構造が示され、
ｉ．多色カラー画像形成装置に係る第５図には、
最上部に位置する感光体（１）、
感光体の下に位置し、感光体と転写部Ｂで接触するロール状の帯電ブラシ（５）、
帯電ブラシの下に位置する無端搬送ベルト（１６）、
最下部に位置する給紙トレイ（１９）、
感光体の左側に位置し、それぞれ色違いのトナーを備える２台の現像器（４Ａ、４Ｂ）などからなる『多色カラー画像形成装置の全体構成』、
上の感光体と、下の帯電器（ロール状帯電ブラシ）とが近接する部位にあり、両者の間を用紙が横切る時に、感光体表面のトナー像が用紙に転写される様に形成されている『転写部Ｂの構成』、
左右二つのベルト支持ロールと中間のロール状帯電ブラシにより略Ｍ字状ルートが形成され、ルート谷部で、転写部Ｂと接触することなく大きく下側に迂回する様に形成されている『無端搬送ベルトのルート構成』が示されている。
［引用文献２：特開昭５９−１６８４６７号公報］
　引用文献２には、
ｊ．「像担持体に静電潜像を形成し、この潜像を現像後搬送ベルトに載置されて搬送される転写材に現像像を転写する画像形成装置において、該搬送ベルトに設けられた突起又は孔に係合して該搬送ベルトの横振れを防止する案内手段と、該搬送ベルトの係合を安定に保持する保持手段とを有することを特徴とする画像形成装置。」（特許請求の範囲）、
ｋ．「転写紙Ｐは、レジスタローラ対５３・・・を通って、スクリーンベルト２上へ送られる。スクリーンベルト２上の転写紙は、吸着帯電器５９により・・・スクリーンベルトへしっかりと静電吸着される。」（第２頁右下欄第３〜９行）、
ｌ．「第２図は、本実施例に使用するスクリーンベルト２の一例であって、可撓性合成樹脂（例えばテトロン）のメッシュスクリーンのベルトを、途中で切断して示してある。リブ１０１は誘導用突起であって、ベルトの片側の内周全周に周回して接着剤にて貼り付けてある。材質はウレタンゴム等の可撓性材料を用いた。・・・第４図は駆動ローラー３，４に溝をつけた状態を断面で示したもので、駆動ローラー３，４には溝３ｂ，４ｂが設けてあり、この溝にリブ１０１がはまり込んでいる。図では説明のためベルト２は駆動ローラー３，４から離れているが、実際は密着して摩擦駆動されている。」（第３頁左下欄第１７行〜同頁右下欄第１６行）、
ｍ．「この様な画像形成装置は、図面や地図等を複写する電子写真装置にも適用する事ができ、特にカラープリンタの色ずれの解決に好適なものとなる。」（第４頁左下欄第１４〜１６行）と記載されている。
３．対比および当審の判断
３−１．本願発明１について
 ・本願発明１に於ける「転写部」については、明細書中に特段の定義は無いが、
請求項１に於ける「転写材を転写部に搬送するための誘電体ベルト」、「誘電体ベルトが前記転写部と接触することなく迂回する」との記載、及び、
明細書中の関連する下記の記載（ア）〜（イ）及び第１図から、
「上の感光体と、下の帯電器（コロナ放電器）とが近接する部位にあり、両者の間を転写材が横切る時に、感光体表面のトナー像が転写材に転写される様にされている部分」を意味していることが明らかである。
（ア・第１１段落）「・・・転写装置７は、コロナ放電器または帯電ローラもしくは帯電ブラシからなり、転写材の背面からトナー像と逆極性の電荷を付与することにより感光体１上のトナー像を転写材上に転写させる。図示例では、コロナ放電器の構成の一例を示しており、コロナワイヤを囲むコロナハウジングの感光体面側および下面が開口された構成となっている。」
（イ・第１３段落）「図示のように誘電体ベルト１３は転写装置７の転写作用部Ａ（および、有する場合には、分離コロナ放電器）を迂回するように張り渡されており、このため４つの回転自在なガイドローラ１４〜１７が転写装置７を囲むように配置されている。・・・転写材先端が転写材作用部Ａの手前位置に達すると、誘電体ベルト１３はガイドローラ１４〜１７により形成された迂回路、即ち転写装置７の裏側を走行し、転写材のみが誘電体ベルト１３から分離されて転写材作用部Ａに送り込まれる。・・・転写作用部Ａにおいて第１の色のトナー像を転写された転写材は転写装置７を跨ぐようにして再び無端ベルト１３上に吸着され、支持ローラ１２、下部走行部１９を通って支持ローラ１１側へ循環される。・・・」
・次に、引用文献１の発明で、上記の本願発明１の「転写部」に相当する部分がどこであるかを検討する。
　引用文献１の関連する記載（前掲ｂの「実施例・画像形成装置の無端搬送ベルト・転写部Ｂの説明箇所」及び前掲ｆの「無端搬送ベルトのルート構成」、「転写部Ｂの構成」参照）から、引用文献１の発明の「転写部Ｂ」、即ち、『上の感光体と、下の帯電器（ロール状帯電ブラシ）とが近接する部位にあり、両者の間を用紙が横切る時に、感光体表面のトナー像が用紙に転写される様に形成されている部分』が、本願発明１の「転写部」に相当する部分であることが明らかである。
（引用文献１の発明の「帯電ブラシ」が、本願発明１の「転写部」に相当するものであるとの審判請求人の主張は、失当であり認められない。）
・そこで、本願発明１と引用文献１の発明とを対比すると、
引用文献１の発明の「感光体」、「用紙」、「無端ベルト」、「転写部Ｂ」、「電子写真装置」は、それぞれ、本願発明１の「像形成体」、「転写材」、「誘電体ベルト」、「転写部」、「画像形成装置」に相当し、
引用文献１の発明の無端ベルト（誘電体ベルト）も、転写部と接触することなく迂回するように張り渡されていることが明らかであり（前掲ｄ、ｉ参照）、
また、引用文献１の発明に於いてもベルト横ずれ防止の工夫が種々なされており（前掲ｇ、ｈ参照）、ベルト支持ローラもベルトを横ずれなく受ける凹部を有していることが明らかであるから（前掲ｃ、ｇ参照）、
両者は、「像形成体上に順に形成される各色のトナー像を、繰り返し搬送される転写材上に順次転写して重ね合わせることにより多色像を形成する転写装置において、前記転写材を転写部に搬送するための誘電体ベルトと、この誘電体ベルトを前帯電し前記転写材を誘電体ベルト上に静電吸着させる手段と、誘電体ベルトを走行可能に支持し且つ前記ベルトを横ずれなく受ける凹部を有するベルト支持ローラとを有し、前記誘電体ベルトが前記転写部と接触することなく迂回するように張り渡されている転写装置。」で一致し、
誘電体ベルトの内面について、本願発明１のものが走行方向に延在するように形成された１または数条の突条を有するのに対して、引用文献１の発明のものがそのような突条を有しない点、及び、
ベルト支持ローラの凹部形状について、本願発明１のものがベルト内面の突条を受ける凹部形状であるのに対して、引用文献１の発明のものがベルト全体を受ける平らな凹部形状である点で相違する。
　相違点について検討するに、引用文献２には、
感光体の各色トナー像を、誘電体ベルト上に静電吸着された転写材の表面に、順次転写し重ね合わせて多色像を形成する、引用文献１と同様の転写装置において、
ベルトの内面に走行方向に延在する突条を設けるとともに、
ベルト支持ローラの凹部形状をベルトの突条を受ける形状として、
ベルトの横ずれに起因する多色画像の色ずれを高精度で防止することが記載されている。（前掲ｊ〜ｍ参照）
　してみると、引用文献１の発明の転写装置に、引用文献２に示されるベルト内面突条、該突条を受けるベルト支持ローラ凹部形状を組み合わせて、画像ずれ防止能の優れたものとすることは、当業者が容易になし得ることであり、また、その作用効果も予測し得る程度のものと認められる。
・結局、本願発明１は、引用文献１〜２に記載の発明に基づいて当業者が容易に発明をすることができたものといわざるを得ず、特許法第２９条第２項の規定により特許を受けることができない。
３−２．本願発明２について
  本願発明２は、本願発明１の全ての構成を引用し、さらに「無端ベルトは転写材の幅方向に従って複数本並列して設けられている」との構成を追加したものであるが、該追加の構成も、引用文献１の発明で示されていることにすぎないから（前掲ｂの用紙搬送ベルト装置の説明箇所を参照）、本願発明１と同様に、引用文献１〜２に記載の発明に基づいて当業者が容易に発明をすることができたものといわざるを得ず、特許法第２９条第２項の規定により特許を受けることができない。
４．むすび
　以上のことから、本願発明１〜２は、いずれも、引用文献１〜２記載の発明に基づいて、当業者が容易に発明をすることができたものであり、特許法第２９条第２項の規定により特許を受けることができない。
　よって、結論のとおり審決する。